(57)【要約】【課題】少なくとも就寝者の腰部を載せる腰ベッド体部分を、ベッド巾方向に往復動させて、快適な睡眠を提供する。【解決手段】就寝者を載せるベッド体２と、基台４と、該基台４にベット巾方向に往復動可能に支持された揺動体５と、前記基台４に取り付けられ前記揺動体５を往復動させる駆動具６とからなる。前記揺動体５は、前記のベット体２のうちの少なくとも就寝者の腰部を載せる腰ベッド体部分２Ａを固着する。【選択図】図１
2008289796.tif 000002
【特許請求の範囲】
【請求項１】
基台と、該基台にベット巾方向に往復動可能に支持された揺動体と、前記基台に取り付けられ前記揺動体を往復動させる駆動具と、就寝者を載せるベッド体とからなり、
前記揺動体は、前記ベッド体のうちの少なくとも前記就寝者の腰部を載せる腰ベッド体部分を固着することを特徴とする揺動ベッド。
【請求項２】
前記ベッド体は、人の全長を載せる一体ベッド体であることを特徴とする請求項１記載の揺動ベッド。
【請求項３】
前記ベッド体は、前記腰ベッド体部分をなす腰ベッド体と、上半身側を受ける上半身側のベッド体と、下半身側を受ける下半身側のベッド体とからなることを特徴とする請求項１記載の揺動ベッド。
【請求項４】
前記ベッド体は、上半身側を受ける上半身側のベッド体、及び腰部と下半身側とを受ける腰下半身側のベッド体からなることを特徴とする請求項１記載の揺動ベッド。
【請求項５】
前記駆動具は、基台に据え置きした回転機と、該回転機により回転しかつ回転中心から偏心した偏心支持部を有する偏心手段と、前記偏心支持部を前記揺動体に連結する揺動アームとからなることを特徴とする請求項１〜４の何れかに記載の揺動ベッド。
【請求項６】
前記偏心支持部は、前記回転中心からの偏心量が１〜１０ｍｍであることを特徴とする請求項５記載の揺動ベッド。
【請求項７】
前記偏心手段の回転数は、４００〜８００ｒｐｍであることを特徴とする請求項５又は６記載の揺動ベッド。
【請求項８】
前記偏心手段は、前記回転中心に直交する端面に、前記偏心支持部を突設した回転体からなり、前記回転中心と前記偏心支持部との距離が一定であることを特徴とする請求項５の揺動ベッド。
【請求項９】
前記偏心手段は、前記回転中心に直交する端面に、該回転中心に直交する向きにのびる係止部を設けた回転体と、前記偏心支持部を有するとともに前記係止部に係合し前記回転中心と前記偏心支持部との距離を変えて前記回転体に固定される偏心量可変体とからなることを特徴とする請求項５記載の揺動ベッド。
【請求項１０】
前記揺動体は、前記基台にベッド巾方向に架け渡される少なくとも１対の案内軸により、かつベッド巾方向一方寄りで支持されるとともに、該案内軸の他方寄りに、駆動具により駆動されない遊動揺動体を配するとともに、前記揺動体と、遊動揺動体とに前記ベッド体を跨らせて固定することを特徴とする請求項１〜９の何れかに記載の揺動ベッド。
【請求項１１】
前記ベッド体は、前記揺動体と、遊動揺動体とを継ぐ継ぎ体を介して該揺動体に固定されたことを特徴とする請求項１〜１０の何れかに記載の揺動ベッド。
【発明の詳細な説明】
【技術分野】
【０００１】
本発明は、少なくとも就寝者の腰部を載せる腰ベッド体部分をベッド巾方向に往復動させることにより、快適な睡眠を提供する揺動ベッドに関する。
【背景技術】
【０００２】
従来のベッドにおいては、就寝者が横たわる面が固定式であるため、例えば長期療養等の理由で同じ姿勢を強いられる場合、血行が悪化しかつ関節や筋肉の硬直化を招くなど身体への悪影響が懸念される。他方、健康な人においても、疲労やストレスの蓄積は、快適な睡眠を阻害し、睡眠不足や不眠症を招くなど健康を害する原因となっている。
【０００３】
そこで近年、寝た姿勢のままで、就寝者の血行を促進しうるとともに、関節や筋肉に適度の刺激と運動を与えてからだをほぐすことができ、疲労やストレスを除去して快適な睡眠を提供しうるベッドの出現が望まれていた。
【発明の開示】
【発明が解決しようとする課題】
【０００４】
本発明は、以上のような実状に鑑み案出されたもので、少なくとも就寝者の腰部を載せる腰ベッド体部分をベッド巾方向に往復動させることを基本として、腰部を中心に、筋肉や関節に心地よい横揺れの刺激や運動を与えることができ、優れた血行促進効果を発揮するとともに、マッサージ効果によって疲労やストレスを除去でき、リラックス効果を高めて、快適な睡眠を提供しうる揺動ベッドを提供することを目的としている。
【課題を解決するための手段】
【０００５】
上記目的を達成するために、請求項１記載の揺動ベッドは、基台と、該基台にベット巾方向に往復動可能に支持された揺動体と、前記基台に取り付けられ前記揺動体を往復動させる駆動具と、就寝者を載せるベッド体とからなり、
前記揺動体は、前記ベッド体のうちの少なくとも前記就寝者の腰部を載せる腰ベッド体部分を固着することを特徴としている。
【０００６】
また請求項２記載の揺動ベッドは、前記ベッド体は、人の全長を載せる一体ベッド体であることを特徴としている。
【０００７】
また請求項３記載の揺動ベッドは、前記ベッド体は、前記腰ベッド体部分をなす腰ベッド体と、上半身側を受ける上半身側のベッド体と、下半身側を受ける下半身側のベッド体とからなることを特徴としている。
【０００８】
また請求項４記載の揺動ベッドは、前記ベッド体は、上半身側を受ける上半身側のベッド体、及び腰部と下半身側とを受ける腰下半身側のベッド体からなることを特徴としている。
【０００９】
また請求項５記載の揺動ベッドは、前記駆動具は、基台に据え置きした回転機と、該回転機により回転しかつ回転中心から偏心した偏心支持部を有する偏心手段と、前記偏心支持部を前記揺動体に連結する揺動アームとからなることを特徴としている。
【００１０】
また請求項６記載の揺動ベッドは、前記偏心支持部は、前記回転中心からの偏心量が１〜１０ｍｍであることを特徴としている。
【００１１】
また請求項７記載の揺動ベッドは、前記偏心手段の回転数は、４００〜８００ｒｐｍであることを特徴としている。
【００１２】
また請求項８記載の揺動ベッドは、前記偏心手段は、前記回転中心に直交する端面に、前記偏心支持部を突設した回転体からなり、前記回転中心と前記偏心支持部との距離が一定であることを特徴としている。
【００１３】
また請求項９記載の揺動ベッドは、前記偏心手段は、前記回転中心に直交する端面に、該回転中心に直交する向きにのびる係止部を設けた回転体と、前記偏心支持部を有するとともに前記係止部に係合し前記回転中心と前記偏心支持部との距離を変えて前記回転体に固定される偏心量可変体とからなることを特徴としている。
【００１４】
また請求項１０記載の揺動ベッドは、前記揺動体は、前記基台にベッド巾方向に架け渡される少なくとも１対の案内軸により、かつベッド巾方向一方寄りで支持されるとともに、該案内軸の他方寄りに、駆動具により駆動されない遊動揺動体を配するとともに、前記揺動体と、遊動揺動体とに前記ベッド体を跨らせて固定することを特徴としている。
【００１５】
また請求項１１記載の揺動ベッドは、前記ベッド体は、前記揺動体と、遊動揺動体とを継ぐ継ぎ体を介して該揺動体に固定されたことを特徴としている。
【発明の効果】
【００１６】
本発明は叙上の如く構成しているため、就寝者の腰部を中心に、寝た状態のまま、筋肉や関節に心地よい横揺れの刺激や運動を与えることができる。その結果、全身に亘って優れた血行促進効果を発揮しうる。又マッサージ効果によって、疲労やストレスを除去でき、リラックス効果を高めて快適な睡眠を提供することができる。
【発明を実施するための最良の形態】
【００１７】
以下、本発明の実施の一形態を、図面を基に説明する。図１は、本実施形態の揺動ベッド１の斜視図である。
【００１８】
本発明の揺動ベッド１は、図１に示すように、就寝者を載せるベッド体２と、基台４と、該基台４にベット巾方向に往復動可能に支持されかつ前記ベッド体２のうちの腰ベッド体部分２Ａを固着する揺動体５と、前記基台４に取り付けられ前記揺動体５を往復動させる駆動具６（図４に示す）とを具える。
【００１９】
前記ベッド体２は、人の全長を載せる一体ベッド体であって、本例では、就寝者の上半身側を受ける上半身側のベッド体２ａ、及び就寝者の腰部と下半身側とを受ける腰下半身側のベッド体２ｂとから構成されている。
【００２０】
前記上半身側のベッド体２ａは、図２、３に示すように、例えばチャンネル材等の枠材によって枠組みされた矩形状の第１のフレーム枠２ａ１と、この第１フレーム枠２ａ１上に配されるマット部材２ａ２とを具える。又前記腰下半身側のベッド体２ｂも、前記上半身側のベッド体２ａと同様、枠材によって枠組みされた第２のフレーム枠２ｂ１と、その上に配されるマット部材２ｂ２とを具える。前記第１フレーム枠２ａ１と第２フレーム枠２ｂ１とは、ヒンジ等の枢着金具１１ａを介してベット巾方向の軸心回りで屈曲可能に連結される。また前記ベッド体２には、第１フレーム枠２ａ１と第２フレーム枠２ｂ１との間に、周知のラチェット機構部材（図示しない）が介在し、これによって前記上半身側のベッド体２ａの傾斜角度を、就寝者の好みに応じて多段階に調整しうる。なお本例では、前記腰下半身側のベッド体２ｂに、就寝者の少なくとも腰部を載せる腰ベッド体部分２Ａを形成している。
【００２１】
又図中の符号１１ｂは、第１フレーム枠２ａ１と第２フレーム枠２ａ１とのベッド巾方向の連結強度を高める補強金具であって、これによりベッド巾方向に対して前記ベッド体２ａ、２ｂが一体となった安定した揺動がしうる。又符号１２は、各フレーム枠２ａ１、２ｂ１に張設されて前記マット部材２ａ２、２ｂ２を受けるネット体であって、就寝者の体重を分散して支持するとともにクッション性を与えて快適性を高めうる。
【００２２】
次に、前記基台４は、図４、５に示すように、ベット巾方向の横枠材１３ａの両端を縦枠材１３ｂで連結した外枠体１３と、前記揺動体５をベット巾方向に往復動可能に支持する案内具８とを具える。なお前記外枠体１３には、本例では、前記横枠材１３ａの略中間部間を継ぐことにより、前記基台４をベット巾方向の一方側領域Ｙ１、他方側領域Ｙ２に区分する中縦枠材１３ｃが配されるとともに、該外枠体１３の下端には脚部１４（図１に示す）を突設している。
【００２３】
又前記案内具８は、前記縦枠材１３ｂ、１３ｂ間に架け渡されてベット巾方向にのびる一対の案内軸８ａを少なくとも含み、本例では、前記案内軸８ａ、８ａ間を通って一方の縦枠材１３ｂと前記中縦枠材１３ｃとの間に架け渡される補助案内軸８ｂをさらに含む場合が例示されている。本例では、各前記案内軸８ａは、その中央部も前記中縦枠材１３ｃに支持され、これにより就寝者の荷重による案内軸８ａのたわみ変形を抑えて、安定かつ円滑な揺動を可能としている。
【００２４】
次に、前記揺動体５は、前記案内具８によってベット巾方向に往復動可能に支持される。この揺動体５は、本例では、縦方向（前記ベット巾方向と直角方向）にのびる巾狭の板状体からなり、前記一方側領域Ｙ１に配されるとともに、その縦方向両端には、前記案内軸８ａを挿通することにより該案内軸８ａに摺動可能に支持される軸受け孔１５が配される。即ち、前記揺動体５は、少なくとも１対の案内軸８ａによりベッド巾方向一方寄りで支持されている。本例では、前記揺動体５の中央部にも、前記補助案内軸８ｂに摺動可能に支持される軸受け孔１５が配されている。
【００２５】
又ベッド巾方向の他方寄り、本例では前記他方側領域Ｙ２には、前記揺動体５と略同構成をなし、該案内軸８ａ、８ａに摺動可能に支持される遊動揺動体１６が配される。前記揺動体５及び遊動揺動体１６の上面は、前記基台４を上方に越えて延在するとともに、この上面上にかつ前記揺動体５と遊動揺動体１６とに跨ってベット体２の前記腰ベッド体部分２Ａが固定される。本例では、前記第２のフレーム枠２ｂ１が、前記揺動体５と遊動揺動体１６とに直接固定される場合が示されている。しかし、図４に二点鎖線で示すように、前記揺動体５と遊動揺動体１６とを継ぐ例えば平板状の継ぎ体１７を介して、前記第２のフレーム枠２ｂ１を揺動体５に固定することもできる。なお前記遊動揺動体１６は、駆動具６により駆動されずに前記揺動体５に追従して移動し、腰ベッド体部分２Ａをベット巾方向に円滑かつ安定して案内する。
【００２６】
次に、前記駆動具６は、前記基台４に据え置きした回転機２０と、該回転機２０により回転しかつ回転中心ｉから偏心した偏心支持部２１Ａを有する偏心手段２１と、前記偏心支持部２１Ａを前記揺動体５に連結する揺動アーム２２とから形成される。
【００２７】
前記回転機２０は、本例では、例えば家庭用１００Ｖ電源にて作動する駆動モータであって、前記基台４に固定支持される。
【００２８】
また前記偏心手段２１は、図８に示すように、前記基台４に回転自在に枢着される回転軸部２３ａを有する回転体２３と、前記偏心支持部２１Ａを有しかつ前記回転体２３に固定される偏心量可変体２４とを具える。前記回転体２３は、前記回転軸部２３ａの一端に矩形板状の回転板部２３ｂを一体回転自在に具えるとともに、前記回転中心ｉに直交する端面、本例では前記回転板部２３ｂの側面に、該回転中心ｉに直交する向きにのびる係止部２５を設けている。この係止部２５は、本例では前記回転板部２３ｂの長さ方向にのびる係止溝であって、その溝底には、前記偏心量可変体固定用のボルト２６をネジ止めするネジ穴（図示しない）を形成している。なお前記回転軸部２３ａの他端と前記回転機２０の出力軸とには、前記図４、５に示すように、それぞれプーリ等の鎖車２７ａ、２７ｂが取り付くとともに、この鎖車２７ａ、２７ｂ間には動力伝達用の無端連紐２８が巻装されている。
【００２９】
又前記偏心量可変体２４は、前記係止部２５に係合してその長さ方向に位置替え可能な係合部２９を有する偏心量可変体主部２４ａと、この偏心量可変体主部２４ａの側面で突出するピン状の前記偏心支持部２１Ａとを一体に具える。なお前記偏心量可変体主部２４ａには、前記ボルト２６が通る長孔状の挿通孔２４ａ１が形成される。従って、前記偏心量可変体２４は、前記回転中心ｉと前記偏心支持部２１Ａの中心との距離、すなわち偏心量Ｗ１を自在に変えて前記回転体２３に固定される。
【００３０】
前記偏心量Ｗ１としては、１〜１０ｍｍの範囲が好ましく、本例では３．５ｍｍとしている。なお前記偏心量Ｗ１の調整を必要としない場合には、図９に示すように、前記偏心量可変体２４を用いることなく、前記回転体２３に偏心支持部２１Ａを直接形成することもできる。斯かる場合には前記回転体２３の小型軽量化を図ることができる。
【００３１】
前記揺動アーム２２は、前記偏心支持部２１Ａを前記揺動体５に連結する長尺な連結部材であって、その一端部、及び他端部が、前記偏心支持部２１Ａ、及び前記揺動体５に設けるピン状の支持部３０に、それぞれ回転自在に枢着される。従って、図１０（Ａ）、（Ｂ）に示すように、前記偏心手段２１と揺動アーム２２と揺動体５とによりクランク機構が構成され、前記駆動具６は、前記回転機２０による回転運動を直線運動に変換して、前記揺動体５をベット巾方向に往復動させうる。即ち、前記腰ベッド体部分２Ａ、本例ではベッド体２全体をベット巾方向に揺動させうる。
【００３２】
本例では、前記偏心支持部２１Ａの偏心量Ｗ１を３．５ｍｍに調整することにより、前記揺動体５を７．０ｍｍの振幅Ｗ２で巾方向に揺動しうる。なおこの振幅Ｗ２が２〜２０ｍｍの範囲、特に好ましくは５〜１０ｍｍの範囲において、腰部を中心に、筋肉や関節に心地よい横揺れの刺激が与えられ、優れた血行促進効果、マッサージ効果、及びリラックス効果を奏することができる。このとき、横揺れの振動数、即ち前記偏心手段２１の回転数は、４００〜８００ｒｐｍの範囲であることが好ましく、回転数が４００ｒｐｍを下回る及び振幅Ｗ２が２ｍｍを下回ると、刺激が不十分となり、逆に６００ｒｐｍを上回る及び１０ｍｍを上回ると刺激が強すぎて、快適さを得ることができなくなる。なお前記回転機２０の回転数が高すぎても、その振動がベッド体２に伝わって、不快感を招く傾向があり、従って前記回転機２０の回転数は６００〜１２００ｒｐｍの範囲が好ましく、又前記鎖車２７ａ、２７ｂ間の減速比率は６０〜７０％であるのが好ましい。
【００３３】
なお図６は、前記無端連紐２８の巻装状態を示す図５のＡーＡ線断面図、図７は、前記偏心手段２１を示す図５のＢーＢ線断面図である。
【００３４】
次に、図１１〜１３に、他の実施形態を例示する。図１１の実施形態（以下、第２実施形態という）では、図１の実施形態（以下、第１実施形態という）の場合と同様、ベット体２が、前記上半身側を受けるベッド体２ａと、前記腰下半身側のベッド体２ｂとから構成されている。しかしこのベッド体２ａ、２ｂは一体に連結されず、互いに独立して支持されている。そして、前記腰下半身側のベッド体２ｂが、前記揺動体５に固定されることにより、該腰下半身側のベッド体２ｂのみ独立して揺動させることが可能となり、前記第１実施形態の揺動ベッド１とは異なる効果を与えうる。
【００３５】
また、図１２の実施形態（以下、第３実施形態という）では、ベット体２が、前記上半身側を受けるベッド体２ａと、前記腰ベッド体部分２Ａをなす腰ベッド体２ｃと、下半身側を受ける下半身側のベッド体２ｄとから構成されるとともに、各ベッド体２ａ、２ｃ、２ｄは、一体に連結されず、互いに独立して支持されている。そして、前記腰ベッド体２ｃが、前記揺動体５に固定されることにより、該腰ベッド体２ｃのみ独立して揺動させることが可能となり、前記第１、第２実施形態の揺動ベッド１とは異なる効果を就寝者に与えうる。
【００３６】
また、図１３の実施形態（以下、第４実施形態という）では、前記第３実施形態のベット体２において、前記腰ベッド体２ｃと、下半身側のベッド体２ｄの双方が、それぞれ個別の揺動体５に固定されている。従って、ベッド体２ｃ、２ｂを互いに異なる振動数、振幅、及び又は位相にて独立して揺動させることが可能となり、前記第１〜第３実施形態の揺動ベッド１とは異なる効果を就寝者に与えうる。
【００３７】
以上、本発明の特に好ましい実施形態について詳述したが、本発明は図示の実施形態に限定されることなく、種々の態様に変形して実施しうる。
【図面の簡単な説明】
【００３８】
【図１】本発明の揺動ベッドの一実施形態を示す斜視図である。
【図２】ベット体を示す平面図である。
【図３】ベット体を示す側面図である。
【図４】駆動具を示す斜視図である、
【図５】その平面図である。
【図６】図５のＡーＡ線断面図である。
【図７】図５のＢーＢ線断面図である。
【図８】偏心手段を示す部分斜視図である。
【図９】偏心手段の他の例を示す部分斜視図である。
【図１０】（Ａ）、（Ｂ）は、駆動具の作用効果を示す作用図である。
【図１１】揺動ベッドの他の実施例を示す概念図である。
【図１２】揺動ベッドのさらに他の実施例を示す概念図である。
【図１３】揺動ベッドのさらに他の実施例を示す概念図である。
【符号の説明】
【００３９】
１     揺動ベッド
２     ベッド体
２Ａ   腰ベッド体部分
２ａ   上半身側のベッド体
２ｂ   腰下半身側のベッド体
２ｃ   腰ベッド体
２ｄ   下半身側のベッド体
４     基台
５     揺動体
６     駆動具
８ａ   案内軸
１６   遊動揺動体
１７   継ぎ体
２０   回転機
２１   偏心手段
２１Ａ 偏心支持部
２２   揺動アーム
２３   回転体
２４   心量可変体
２５   係止部
ｉ     回転中心
【図１】
2008289796.tif 000003
【図２】
2008289796.tif 000004
【図３】
2008289796.tif 000005
【図４】
2008289796.tif 000006
【図５】
2008289796.tif 000007
【図６】
2008289796.tif 000008
【図７】
2008289796.tif 000009
【図８】
2008289796.tif 000010
【図９】
2008289796.tif 000011
【図１０】
2008289796.tif 000012
【図１１】
2008289796.tif 000013
【図１２】
2008289796.tif 000014
【図１３】
2008289796.tif 000015